(57)【要約】【課題】携帯型電子装置の傾斜角度を調整することができる保護シースを提供する。【解決手段】本考案の保護シース１０は、携帯型電子装置２０を保持する第１の保持部材１００と、入力装置３０を保持する第２の保持部材２００と、支持部材３００と、を含む。支持部材３００は、互いに隣接し合う上、折り畳むことができる第１の折板３１０及び第２の折板３２０を有する。第１の折板３１０は、第１の保持部材１００に枢着される。第２の折板３２０は、第２の保持部材２００にスライド可能に設けられる。第２の保持部材２００及び第１の折板３１０に対し、第１の保持部材１００を展開すると、第２の内表面２０２上に携帯型電子装置２０を立たせることができる。また、第１の保持部材１００を折り畳むと、入力装置３０及び第２の内表面２０２は、携帯型電子装置２０の表示面２２を被覆する。【選択図】図１
0003182771.tif 000002
【実用新案登録請求の範囲】
【請求項１】
携帯型電子装置及び入力装置に適用される保護シースであって、
前記保護シースは、第１の保持部材、第２の保持部材及び支持部材を備え、
前記第１の保持部材は、前記第１の保持部材の第１の内表面上に、前記携帯型電子装置の第１の背面を保持するために用いられ、
前記第２の保持部材は、前記第２の保持部材の第２の内表面上に、前記入力装置の第２の背面を保持するために用いられ、
前記支持部材は、互いに隣接する上、折り畳むことができる第１の折板及び第２の折板を有し、前記第１の折板の前記第２の折板から離れた第１の側縁は、前記第１の保持部材に枢着され、前記第２の折板の前記第１の折板から離れた第２の側縁は、前記第２の保持部材にスライド可能に設けられ、前記第２の保持部材及び前記第１の折板に対し、前記第１の保持部材を展開すると、前記携帯型電子装置は、前記入力装置及び前記第１の折板によって支持されるため、前記第２の内表面上に立たせることができ、前記第２の保持部材及び前記第１の折板に対し、前記第１の保持部材を折り畳むと、前記入力装置及び前記第２の内表面は、前記携帯型電子装置の表示面を被覆することを特徴とする保護シース。
【請求項２】
前記第１の保持部材は、前記第１の内表面を有する背板と、第１の保持部と、を有し、前記第１の保持部は、前記第１の内表面上に配置されるシリコンケースと、皮革ケースと、プラスチックケースと、少なくとも１つのゴム紐と、少なくとも１つの面ファスナーと、少なくとも１つの接着ユニットと、前記背板の一部周縁上に配置される少なくとも１つの鉤部と、の中の少なくとも１つを有することを特徴とする請求項１に記載の保護シース。
【請求項３】
前記第１の保持部材は、シリコンケース、皮革ケース又はプラスチックケースであることを特徴とする請求項１に記載の保護シース。
【請求項４】
前記第１の保持部材は、前記第２の保持部材に近い第３の側縁と、前記第３の側縁と反対側の第４の側縁と、前記第３の側縁及び前記第４の側縁に接続される第５の側縁と、前記第５の側縁と反対側の第６の側縁と、前記第３の側縁、前記第４の側縁、前記第５の側縁及び前記第６の側縁間に位置する中央領域と、をさらに有し、前記第１の折板は、少なくとも一部の前記第３の側縁、少なくとも一部の前記第４の側縁又は前記中央領域に枢着されるか、或いは、前記第５の側縁から前記第６の側縁まで延伸されることを特徴とする請求項１に記載の保護シース。
【請求項５】
前記第２の保持部材は、前記第２の内表面を有する蓋板と、第２の保持部と、を有し、前記第２の保持部は、前記第２の内表面上に配置される少なくとも１つのゴム紐と、少なくとも１つの面ファスナーと、少なくとも１つの嵌入部と、少なくとも１つの接着ユニットと、前記蓋板の一部周縁上に配置される少なくとも１つの鉤部と、の中の少なくとも１つを有することを特徴とする請求項１に記載の保護シース。
【請求項６】
前記支持部材は、第３の保持部をさらに有し、前記第３の保持部は、前記第１の折板の第３の内表面上に配置される少なくとも１つのゴム紐と、少なくとも１つの面ファスナーと、前記第１の折板の一部周縁上に配置される複数の鉤部と、の中の少なくとも１つを有することを特徴とする請求項１に記載の保護シース。
【請求項７】
前記第２の保持部材は、開口と、前記開口に連通する収容空間と、をさらに有し、前記第２の折板は、前記開口にスライド可能に設けられ、前記第２の側縁は、前記収容空間中にスライド可能に設けられることを特徴とする請求項１に記載の保護シース。
【請求項８】
前記支持部材は、前記第２の側縁に配置される位置規制部をさらに有し、前記第２の折板の第１の長さは、前記開口の第２の長さより短く、前記位置規制部の第３の長さは、前記第２の長さより長い上、前記収容空間の第４の長さより短く、前記位置規制部の第５の長さは、前記収容空間の第６の長さより短く、前記第１の長さ、前記第２の長さ、前記第３の長さ、及び第４の長さは、実質的に前記第２の側縁と平行であり、前記第５の長さ及び前記第６の長さは、実質的に前記第２の側縁に垂直であることを特徴とする請求項７に記載の保護シース。
【請求項９】
前記開口は、前記第２の保持部材の前記第１の保持部材に近い第７の側縁に形成されることを特徴とする請求項７に記載の保護シース。
【請求項１０】
前記第２の保持部材及び前記第２の折板中の少なくとも１つは、少なくとも１つのスライドレールをさらに有し、前記第２の折板は、前記スライドレールにより、前記第２の保持部材にスライド可能に設けられることを特徴とする請求項１に記載の保護シース。
【請求項１１】
前記スライドレールは、前記第２の保持部材と前記第２の折板との間の相対位置を限定する少なくとも１つの位置規制部をさらに有することを特徴とする請求項１０に記載の保護シース。
【請求項１２】
ヒンジをさらに備え、前記第１の側縁は、前記ヒンジにより、前記第１の保持部材の前記第１の内表面と反対の第１の外表面に枢着されることを特徴とする請求項１に記載の保護シース。
【請求項１３】
前記ヒンジは、嵌入式のヒンジであることを特徴とする請求項１２に記載の保護シース。
【請求項１４】
前記ヒンジは、露出式のヒンジであることを特徴とする請求項１２に記載の保護シース。
【請求項１５】
第３の保持部材をさらに備え、前記第３の保持部材は、前記第１の保持部材及び前記第２の保持部材中の少なくとも１つに配置され、前記第１の保持部材と前記第２の保持部材とが折り畳まれた状態を維持するために用いられることを特徴とする請求項１に記載の保護シース。
【請求項１６】
前記第３の保持部材は、前記第１の保持部材及び前記第２の保持部材中の少なくとも１つに配置される少なくとも１つのゴム紐であることを特徴とする請求項１５に記載の保護シース。
【請求項１７】
前記第３の保持部材は、前記第１の保持部材及び前記第２の保持部材に配置されるファスナーセットと、少なくとも１つの面ファスナーと、少なくとも１つのスナップボタンセットと、少なくとも一対の極性の異なる永久磁石と、少なくとも１つの永久磁石と少なくとも１つの強磁性材料との組合せと、少なくとも１つの鉤部と少なくとも１つの係合孔との組合せと、少なくとも１つのピンと少なくとも１つの挿入孔との組合せと、の中の少なくとも１つであることを特徴とする請求項１５に記載の保護シース。
【請求項１８】
前記第１の保持部材は、第３の折板をさらに有し、前記第３の折板は、前記第１の保持部材と前記第２の保持部材とを折り畳んだ際、前記第２の保持部材の前記第２の内表面と反対の第２の外表面の方向に湾曲することができ、前記第３の保持部材は、前記第３の折板及び前記第２の外表面に配置されることを特徴とする請求項１７に記載の保護シース。
【請求項１９】
前記第２の保持部材は、第４の折板をさらに有し、前記第４の折板は、前記第１の保持部材と前記第２の保持部材とを折り畳んだ際、前記第１の保持部材の前記第１の内表面と反対の第１の外表面の方向に湾曲することができ、前記第３の保持部材は、前記第４の折板及び前記第１の外表面に配置されることを特徴とする請求項１７に記載の保護シース。
【請求項２０】
前記携帯型電子装置は、マルチメディアプレーヤー、携帯電話、ＰＤＡ、携帯型ゲーム機、タブレットコンピューター又は電子書籍であることを特徴とする請求項１に記載の保護シース。
【請求項２１】
前記入力装置は、キーボード又はペンタブレットであることを特徴とする請求項１に記載の保護シース。
【考案の詳細な説明】
【技術分野】
【０００１】
本考案は、保護シース（ｐｒｏｔｅｃｔｉｖｅ  ｓｈｅａｔｈ）に関し、特に、携帯型電子装置（ｐｏｒｔａｂｌｅ  ｅｌｅｃｔｒｏｎｉｃ  ｄｅｖｉｃｅ）及び入力装置（ｉｎｐｕｔ  ｄｅｖｉｃｅ）に適用される保護シースに関する。
【背景技術】
【０００２】
科学技術の発展に伴い、ＭＰ３、ＭＰ４などのマルチメディアプレーヤー（ｍｕｌｔｉｍｅｄｉａ  ｐｌａｙｅｒ）、携帯電話（ｃｅｌｌ  ｐｈｏｎｅ）、ＰＤＡ（ｐｅｒｓｏｎａｌ  ｄｉｇｉｔａｌ  ａｓｓｉｓｔａｎｔ）、携帯型ゲーム機（ｈａｎｄ−ｈｅｌｄ  ｇａｍｅ  ｃｏｎｓｏｌｅ）、電子書籍（ｅｌｅｃｔｒｏｎｉｃ  ｂｏｏｋ，Ｅ−ｂｏｏｋ）、タブレットコンピュータ（ｔａｂｌｅｔ  ｐｅｒｓｏｎａｌ  ｃｏｍｐｕｔｅｒ，ｔａｂｌｅｔ  ＰＣ）、ネットブック（ｎｅｔｂｏｏｋ）、ノートパソコン（ｎｏｔｅｂｏｏｋ）など、各種の携帯型電子装置は、現代人の生活になくてはならない製品となっている。従来のデスクトップ型パソコン（ｄｅｓｋｔｏｐ  ＰＣ）と比較し、携帯型電子装置の主な長所は、携帯に便利であるという点である。そのため、近年、携帯型電子装置は、いつでもどこでも使用されている。
【０００３】
ここで、上述の携帯型電子装置中、一般に、体積の大きなネットブック及びノートパソコンは、キーボード（ｋｅｙｂｏａｒｄ）及びモニター（ｓｃｒｅｅｎ）が折り畳み可能な２つの本体（ｂｏｄｙ）上にそれぞれ設置される。これにより、モニターが設置された本体は、キーボードが設置された本体によって支持されるため、立たせることができる上、傾斜角度を調整することができる。これにより、ユーザは、携帯型電子装置を卓上などの載置面上に置き、動画の閲覧及び操作を便利に行うことができる。一方、他の携帯型電子装置は、一般に、一体成形されているため、受け台（ｃｒａｄｌｅ）又は他の支持部材を使用しなければ、載置面上に立たせることができない。
【０００４】
しかし、一般に、ユーザは、受け台を常に携帯しているわけではない。また、携帯型電子装置に適用される他の支持部材は、容易に入手できるものではない。そこで、保護シースを製造する一部のメーカーは、携帯型電子装置及びキーボードを同時に収納し、保護シース及びキーボードにより、携帯型電子装置を支持して立たせることができる保護シースを案出した。しかし、現在、市場において販売されている保護シースは、携帯型電子装置を所定角度で支持し、載置面上に立たせることができるのみであり、必要に応じ、載置面上に携帯型電子装置を立たせる際の傾斜角度（ｔｉｌｔ  ａｎｇｌｅ）を調整することができない。
【先行技術文献】
【特許文献】
【０００５】
【特許文献１】特開２０１２−１８３２３９号公報
【考案の概要】
【考案が解決しようとする課題】
【０００６】
本考案の目的は、必要に応じ、第２の保持部材の第２の内表面上に携帯型電子装置を立たせる際の傾斜角度を調整することができる保護シースを提供することにある。
【課題を解決するための手段】
【０００７】
上述の課題を解決するために、本考案は、携帯型電子装置及び入力装置に適用される保護シースを提供するものである。本考案の保護シースは、第１の保持部材（ｈｏｌｄｉｎｇ  ｃｏｍｐｏｎｅｎｔ）、第２の保持部材及び支持部材（ｓｕｐｐｏｒｔ  ｃｏｍｐｏｎｅｎｔ）を含む。第１の保持部材は、第１の保持部材の第１の内表面上に、携帯型電子装置の第１の背面を保持するために用いられる。第２の保持部材は、第２の保持部材の第２の内表面上に、入力装置の第２の背面を保持するために用いられる。支持部材は、互いに隣接する上、折り畳むことができる第１の折板（ｆｏｌｄａｂｌｅ  ｐｌａｔｅ）及び第２の折板を有する。第１の折板の第２の折板から離れた第１の側縁は、第１の保持部材に枢着される。また、第２の折板の第１の折板から離れた第２の側縁は、第２の保持部材にスライド可能に設けられる。第２の保持部材及び第１の折板に対し、第１の保持部材を展開すると、携帯型電子装置は、入力装置及び第１の折板によって支持されるため、第２の内表面上に立たせることができる。また、第２の保持部材及び第１の折板に対し、第１の保持部材を折り畳むと、入力装置及び第２の内表面は、携帯型電子装置の表示面を被覆する。
【０００８】
第１の保持部材は、第１の内表面を有する背板（ｒｅａｒ  ｐｌａｔｅ）と、第１の保持部（ｈｏｌｄｉｎｇ  ｐｏｒｔｉｏｎ）と、を有する。第１の保持部は、第１の内表面上に配置されるシリコンケース（ｓｉｌｉｃｏｎ  ｃａｓｅ）と、皮革ケース（ｌｅａｔｈｅｒ  ｃａｓｅ）と、プラスチックケース（ｐｌａｓｔｉｃ  ｃａｓｅ）と、少なくとも１つのゴム紐（ｅｌａｓｔｉｃ）と、少なくとも１つの面ファスナー（Ｖｅｌｃｒｏ（登録商標）  ｓｔｒａｐ）と、少なくとも１つの接着ユニット（ａｄｈｅｓｉｖｅ  ｕｎｉｔ）と、背板の一部周縁（ｐｅｒｉｐｈｅｒａｌ）上に配置される少なくとも１つの鉤部（ｈｏｏｋ）と、の中の少なくとも１つを含む。
【０００９】
或いは、第１の保持部材は、シリコンケース、皮革ケース又はプラスチックケースである。
【００１０】
第１の保持部材は、第２の保持部材に近い第３の側縁と、第３の側縁と反対側の第４の側縁と、第３の側縁及び第４の側縁に接続される第５の側縁と、第５の側縁と反対側の第６の側縁と、第３の側縁、第４の側縁、第５の側縁及び第６の側縁間に位置する中央領域（ｃｅｎｔｅｒ  ｒｅｇｉｏｎ）と、をさらに有する。また、第１の折板は、少なくとも一部の第３の側縁、少なくとも一部の第４の側縁又は中央領域に枢着されるか、或いは、第５の側縁から第６の側縁まで延伸される。
【００１１】
第２の保持部材は、第２の内表面を有する蓋板（ｃｏｖｅｒ  ｐｌａｔｅ）と、第２の保持部と、を含む。第２の保持部は、第２の内表面上に配置される少なくとも１つのゴム紐と、少なくとも１つの面ファスナーと、少なくとも１つの嵌入部（ｉｎｓｅｒｔｉｏｎ  ｐｏｒｔｉｏｎ）と、少なくとも１つの接着ユニットと、蓋板の一部周縁上に配置される少なくとも１つの鉤部と、の中の少なくとも１つを含む。
【００１２】
支持部材は、第３の保持部をさらに含む。第３の保持部は、第１の折板の第３の内表面上に配置される少なくとも１つのゴム紐と、少なくとも１つの面ファスナーと、第１の折板の一部周縁上に配置される複数の鉤部と、の中の少なくとも１つを含む。
【００１３】
第２の保持部材は、開口（ｏｐｅｎｉｎｇ）と、開口に連通する収容空間（ｒｅｃｅｉｖｉｎｇ  ｓｐａｃｅ）と、をさらに有する。第２の折板は、開口にスライド可能に設けられる。また、第２の折板の第２の側縁は、収容空間中にスライド可能に設けられる。支持部材は、第２の側縁に配置される位置規制部（ｐｏｓｉｔｉｏｎ  ｌｉｍｉｔｉｎｇ  ｐｏｒｔｉｏｎ）をさらに有する。第２の折板の第１の長さは、開口の第２の長さより短い。また、位置規制部の第３の長さは、第２の長さより長い上、収容空間の第４の長さより短い。また、位置規制部の第５の長さは、収容空間の第６の長さより短い。第１の長さ、第２の長さ、第３の長さ、及び第４の長さは、実質的に第２の側縁と平行である。第５の長さ及び第６の長さは、実質的に第２の側縁に垂直である。また、開口は、第２の保持部材の第１の保持部材に近い第７の側縁に形成される。
【００１４】
第２の保持部材及び第２の折板中の少なくとも１つは、少なくとも１つのスライドレール（ｓｌｉｄｅ  ｒａｉｌ）をさらに有してもよい。この場合、第２の折板は、スライドレールにより、第２の保持部材にスライド可能に設けられる。スライドレールは、第２の保持部材と第２の折板との間の相対位置（ｒｅｌａｔｉｖｅ  ｐｏｓｉｔｉｏｎ）を限定する少なくとも１つの位置規制部をさらに有する。
【００１５】
第１の折板の材料は、硬質皮革（ｓｏｌｉｄ  ｌｅａｔｈｅｒ）である。また、第２の折板の材料は、硬質皮革又は軟質皮革（ｓｏｆｔ  ｌｅａｔｈｅｒ）である。
【００１６】
保護シースは、ヒンジ（ｈｉｎｇｅ）をさらに含んでもよい。第１の側縁は、ヒンジにより、第１の保持部材の第１の内表面と反対の第１の外表面に枢着される。ヒンジは、嵌入式のヒンジ（ｅｍｂｅｄｄｅｄ  ｈｉｎｇｅ）又は露出式のヒンジ（ｅｘｐｏｓｅｄ  ｈｉｎｇｅ）である。
【００１７】
保護シースは、第３の保持部材をさらに含む。第３の保持部材は、第１の保持部材及び第２の保持部材中の少なくとも１つに配置され、第１の保持部材と第２の保持部材とが折り畳まれた状態を維持するために用いられる。第３の保持部材は、第１の保持部材及び第２の保持部材中の少なくとも１つに配置される少なくとも１つのゴム紐である。或いは、第３の保持部材は、第１の保持部材及び第２の保持部材に配置されるファスナーセット（ｚｉｐｐｅｒ  ｓｅｔ）と、少なくとも１つの面ファスナーと、少なくとも１つのスナップボタンセット（ｓｎａｐ  ｂｕｔｔｏｎ  ｓｅｔ）と、少なくとも一対の極性の異なる永久磁石（ｐｅｒｍａｎｅｎｔ  ｍａｇｎｅｔ）と、少なくとも１つの永久磁石と少なくとも１つの強磁性材料（ｆｅｒｒｏｍａｇｎｅｔｉｃ  ｍａｔｅｒｉａｌ）との組合せと、少なくとも１つの鉤部と少なくとも１つの係合孔（ｌｏｃｋ  ａｐｅｒｔｕｒｅ）との組合せと、少なくとも１つのピン（ｐｉｎ）と少なくとも１つの挿入孔（ｉｎｓｅｒｔｉｏｎ  ａｐｅｒｔｕｒｅ）との組合せと、の中の少なくとも１つでもよい。また、第１の保持部材は、第３の折板をさらに有する。第３の折板は、第１の保持部材と第２の保持部材とを折り畳んだ際、第２の保持部材の第２の内表面と反対の第２の外表面の方向に湾曲することができる。第３の保持部材は、第３の折板及び第２の外表面に配置される。また、第２の保持部材は、第４の折板をさらに有してもよい。第４の折板は、第１の保持部材と第２の保持部材とを折り畳んだ際、第１の保持部材の第１の内表面と反対の第１の外表面の方向に湾曲することができる。第３の保持部材は、第４の折板及び第１の外表面に配置される。
【００１８】
上述の携帯型電子装置は、マルチメディアプレーヤー、携帯電話、ＰＤＡ、携帯型ゲーム機、タブレットコンピューター又は電子書籍である。
【００１９】
上述の入力装置は、キーボード又はペンタブレットである。
【考案の効果】
【００２０】
支持部材の第１の折板が第１の保持部材に枢着され、支持部材の第２の折板が第２の保持部材にスライド可能に設けられることにより、第１の保持部材と第２の保持部材との間の相対位置を調整することができる上、第１の保持部材と第２の保持部材との間の相対角度を調整することができる。ユーザは、本考案の保護シースを使用することにより、携帯型電子装置を保護することができる上、いつでもどこでも携帯型電子装置を載置面上に安定的に立たせることができる。さらに、必要に応じて携帯型電子装置の傾斜角度を調整することができる。
【図面の簡単な説明】
【００２１】
【図１】本考案の一実施形態による保護シースに携帯型電子装置及び入力装置を組み合わせる前の状態を示す平面図である。
【図２】図１の保護シースに携帯型電子装置及び入力装置を組み合わせた後の第１の使用状態を示す平面図である。
【図３】図２中の保護シースにより、携帯型電子装置を立たせた状態を示す側面図である。
【図４】図２中の保護シースの第２の使用状態を示す平面図である。
【図５】図４中の保護シースにより、携帯型電子装置を立たせた状態を示す側面図である。
【考案を実施するための形態】
【００２２】
本考案の目的、特徴および長所を示す実施形態を図面に沿って詳細に説明する。
【００２３】
図１は、本考案の一実施形態による保護シースに携帯型電子装置及び入力装置を組み合わせる前の状態を示す平面図である。図２は、図１の保護シースに携帯型電子装置及び入力装置を組み合わせた後の第１の使用状態を示す平面図である。図３は、図２中の保護シースにより、携帯型電子装置を立たせた状態を示す側面図である。図４は、図２中の保護シースの第２の使用状態を示す平面図である。図５は、図４中の保護シースにより、携帯型電子装置を立たせた状態を示す側面図である。以下に示す複数の実施形態中に使用する同一の符号は、同一又は類似の部材に用いる。また、以下に示す複数の実施形態中の上下左右の方向は、図１に示す方向に基づく。
【００２４】
図１を参照する。図１に示すように、本考案の保護シース１０には、携帯型電子装置２０及び入力装置３０を装着することができる。携帯型電子装置２０は、表示面２２を有する。入力装置３０は、操作面３２を有する。本実施形態中、携帯型電子装置２０は、タブレットコンピュータを例示して説明する。入力装置３０は、キーボードを例示して説明する。しかし、他の実施形態中、携帯型電子装置は、ＭＰ３、ＭＰ４などのマルチメディアプレーヤー、携帯電話、ＰＤＡ、携帯型ゲーム機、電子書籍などでもよい。また、入力装置は、ペンタブレットなどのタブレット型入力装置でもよい。
【００２５】
図１〜図３を参照する。図１〜図３に示すように、保護シース１０は、第１の保持部材１００、第２の保持部材２００及び支持部材３００を含む。第１の保持部材１００は、第１の保持部材１００の第１の内表面１０２上に、携帯型電子装置２０の背面を保持するために用いられる。本実施形態中、第１の保持部材１００は、背板１１０及び第１の保持部１２０を含む。背板１１０は、携帯型電子装置２０の一部背面を被覆するために用いられる。第１の保持部１２０は、背板１１０の下側縁から左側縁を通り、上側縁まで延伸する鉤部である。
【００２６】
第２の保持部材２００は、第２の保持部材２００の第２の内表面２０２上に、入力装置３０の背面を保持するために用いられる。本実施形態中、第２の保持部材２００は、蓋板２１０及び第２の保持部２２０を含む。蓋板２１０は、第１の保持部材１００と第２の保持部材２００とを折り畳んだ際、入力装置３０と共に、表示面２２を被覆するために用いられる。第２の保持部２２０は、蓋板２１０の下側縁から右側縁を通り、上側縁まで延伸するもう１つの鉤部である。
【００２７】
支持部材３００は、互いに隣接する上、折り畳むことができる第１の折板３１０及び第２の折板３２０を有する上、第３の保持部３３０を有する。第１の折板３１０の左側縁３１２は、背板１１０の右側縁に枢着される。また、第２の折板３２０の右側縁３２２は、第２の保持部材２００にスライド可能に設けられる。ここで、第１の折板３１０は、携帯型電子装置２０を支持するために用いられる（図３参照）ため、硬質皮革又は他の硬質材料からなる。本実施形態中、第１の折板３１０が背板１１０に枢着される構造例としては、先ず、２枚のプラスチック板又は硬質皮革などの硬質板部材が互いに対向接続される。その後、軟質皮革が被覆されて一体成形されることにより、２枚の硬質板部材が軟質皮革によって折り畳み可能に互いに接続される。
【００２８】
第２の折板３２０は、第２の保持部材２００に第１の折板３１０をスライド可能に接続させるためのみに用いられるため、軟質皮革又は他の軟質材料からなる。これにより、第１の折板３１０と第２の保持部材２００との間は、第２の折板３２０の任意の位置上で湾曲させることができる。しかし、第２の折板３２０は、硬質皮革又は他の硬質材料から製造してもよい。第２の折板３２０が硬質皮革又は他の硬質材料からなる場合、第１の折板３１０と第２の折板３２０との間は、ヒンジ又は他の湾曲可能な構造によって互いに接続する必要がある。また、第３の保持部３３０は、第１の折板３１０の下側縁から右下角まで延伸する鉤部と、上側縁から右上角まで延伸する鉤部と、である。第３の保持部３３０は、第１の保持部材１００及び第１の折板３１０を展開した際、第１の保持部１２０と共に、携帯型電子装置２０を保持するために用いられる。しかし、他の実施形態中、第３の保持部は、第１の折板の第３の内表面に配置される少なくとも１つのゴム紐及び少なくとも１つの面ファスナーでもよい。
【００２９】
上述の構造に基づき、ユーザが第１の保持部材１００と第１の折板３１０とを折り畳むと、第３の保持部３３０から携帯型電子装置２０を離脱させることができる。その後、第１の折板３１０と第２の折板３２０とを折り畳むことにより、携帯型電子装置２０の右側縁を入力装置３０の左側縁に当接させることができる。これにより、図３に示すように、携帯型電子装置２０は、入力装置３０及び第１の折板３１０によって支持されるため、第２の内表面２０２上に立たせることができる。また、第２の折板３２０の右側縁３２２が第２の保持部材２００にスライド可能に設けられるため、携帯型電子装置２０を第２の内表面２０２上に立たせた際、ユーザは、必要に応じ、第１の保持部材１００と第２の保持部材２００との間の相対位置を調整することができる。これにより、携帯型電子装置２０を第２の内表面２０２上に立たせる際の傾斜角度を調整することができる。
【００３０】
詳細に述べると、本実施形態中、第２の保持部材２００は、蓋板２１０の左側縁に形成される開口２３０と、開口２３０に連通する収容空間２４０と、を有する。また、支持部材３００は、右側縁３２２に配置される位置規制部３４０を有する。第２の折板３２０の右側縁の長さは、開口２３０の上下方向上の長さより若干短い。位置規制部３４０の上下方向上の長さは、開口２３０の長さより長い上、収容空間２４０の上下方向上の長さより若干短い。また、位置規制部３４０の左右方向上の長さは、収容空間２４０の左右方向上の長さより短い必要がある。これにより、第２の折板３２０は、開口２３０に対してスライドさせることができる上、位置規制部３４０も収容空間２４０中の図２に示す位置と図４に示す位置との間をスライドさせることができる。これにより、第１の保持部材１００と第２の保持部材２００との間の相対位置を調整することができる。これにより、ユーザは、図３に示す位置と図５に示す位置との間において、携帯型電子装置２０の傾斜角度を調整することができる。また、位置規制部３４０は、スライドする過程において、収容空間２４０中から離脱しにくい。
【００３１】
また、例えば、蓋板２１０は、先ず、上下２枚の皮革部材が互いに貼り合わされ、その後、辺縁が縫合されて形成される。このため、２枚の皮革部材を貼り合せる際、２枚の皮革部材の間に貼り合わされない空間を保留することにより、２枚の皮革部材の内表面間に凹陥部（ｄｅｎｔ）を形成すれば、収容空間２４０を形成することができる。同様に、２枚の皮革部材を縫合する際、２枚の皮革部材の左側縁の一部を縫合しなければ、開口２３０を形成することができる。また、位置規制部３４０は、硬質材料からなるロッド部材であり、第２の折板３２０の右側縁３２２に固着されることによって形成される。
【００３２】
また、図１に示すように、本実施形態中の第１の保持部材１００は、第３の折板１３０をさらに有する。また、保護シース１０は、第３の保持部材４００をさらに含む。本実施形態中、第３の折板１３０は、例えば、背板１１０の左側縁から外側に延伸する。第３の保持部材４００は、例えば、極性が異なる一対の永久磁石である。永久磁石は、第３の折板１３０及び蓋板２１０の内部にそれぞれ配置される。これにより、第１の保持部材１００と第２の保持部材２００とが互いに折り畳まれ、携帯型電子装置２０及び入力装置３０を被覆すると、第３の折板１３０を第２の保持部材２００の背面の方向に湾曲させることができる。この際、永久磁石（第３の保持部材４００）が磁力によって互いに係合し合うため、第１の保持部材１００と第２の保持部材２００とが折り畳まれた状態を維持することができる。また、他の実施形態中、第２の保持部材は、第４の折板をさらに有し、第４の折板及び背板の内部に永久磁石（第３の保持部材）をそれぞれ配置することができる。第４の折板の配置、構造及び機能は、第３の折板に類似するため、ここでは贅言しない。
【００３３】
本考案は、上述の実施形態のみに限定されない。例えば、他の実施形態中、第１の保持部は、背板上に配置され、携帯型電子装置の全ての側縁及び背面を被覆するために用いられるシリコンケース、皮革ケース又はプラスチックケースでもよい。或いは、第１の保持部は、携帯型電子装置を被覆するために用いられる少なくとも１つのゴム紐、少なくとも１つの面ファスナー、少なくとも１つの接着ユニット及びそれらの組合せでもよい。また、第１の保持部材は、背板を含まなくてもよく、携帯型電子装置の全ての側縁及び背面を直接被覆するために用いられる上、一体成形されるシリコンケース、皮革ケース又はプラスチックケースでもよい。この場合、第１の折板の左側縁は、第１の保持部材の右側縁に枢着することができるのみならず、第１の保持部材の左側縁又は第１の保持部材背面の中央領域に枢着することができる。或いは、第１の折板の左側縁も第１の保持部材の上側縁から下側縁に延伸することができる。また、第１の折板は、上述の構造により、第１の保持部材に枢着することができるのみならず、嵌入式のヒンジ又は露出式のヒンジにより、第１の保持部材に枢着することができる。
【００３４】
また、他の実施形態中、第２の保持部は、蓋板上に配置される少なくとも１つのゴム紐、少なくとも１つの面ファスナー、少なくとも１つの嵌入部、少なくとも１つの接着ユニット又はそれらの組合せでもよい。或いは、第２の保持部は、入力装置を蓋板上に保持することができる他の任意の構造でもよい。また、第２の折板は、上述の構造のみによって第２の保持部材にスライド可能に設けられるわけではない。他の実施形態中、第２の保持部材及び第２の折板の少なくとも何れかは、少なくとも１つのスライドレールを有してもよい。第２の折板は、スライドレールによって第２の保持部材にスライド可能に設けられる。また、スライドレールは、第２の保持部材と第２の折板との間の相対位置を限定する少なくとも１つの位置規制部をさらに有する。これにより、ユーザは、必要に応じ、第１の保持部材と第２の保持部材との間の相対位置を調整することができる。
【００３５】
このほか、第３の保持部材は、極性の異なる永久磁石のみに限定されない。本考案の他の実施形態中、第３の保持部材は、第１の保持部材及び第２の保持部材の少なくとも何れかに配置される少なくとも１つのゴム紐でもよく、第１の保持部材と第２の保持部材とを折り畳んだ際、第１の保持部材及び第２の保持部材を１つにまとめることができる。或いは、第３の保持部材は、第１の保持部材及び第２の保持部材に配置されるファスナーセットと、少なくとも１つの面ファスナーと、少なくとも１つのスナップボタンセットと、少なくとも１つの永久磁石と少なくとも１つの強磁性材料との組合せと、少なくとも１つの鉤部と少なくとも１つの係合孔との組合せと、少なくとも１つのピンと少なくとも１つの挿入孔との組合せと、の中の少なくとも１つでもよい。
【００３６】
説明したことから分かるように、本考案中、携帯型電子装置と入力装置とが保護シースの第１の保持部材上と第２の保持部材上とに保持される。このため、本考案の保護シースを使用することにより、携帯型電子装置を保護することができる。また、保護シースの構造により、携帯型電子装置と共に入力装置を携帯することができる。また、支持部材の第１の折板が第１の保持部材に枢着され、支持部材の第２の折板が第２の保持部材にスライド可能に設けられることにより、第１の保持部材と第２の保持部材との間の相対位置を調整することができる上、第１の保持部材と第２の保持部材との間の相対角度を調整することができる。このため、ユーザは、保護シースを使用することにより、いつでもどこでも携帯型電子装置を載置面上に安定的に立たせることができる上、必要に応じて携帯型電子装置の傾斜角度を調整することができる。
【００３７】
上記の本考案の実施形態は、本考案を限定するものではなく、当業者は、本考案の主旨を逸脱しない範囲において変更及び修飾を行うことができる。本考案の保護範囲は、実用新案登録請求の範囲に準ずる。
【符号の説明】
【００３８】
１０  保護シース
２０  携帯型電子装置
２２  表示面
３０  入力装置
３２  操作面
１００  第１の保持部材
１０２  第１の内表面
１１０  背板
１２０  第１の保持部
１３０  第３の折板
２００  第２の保持部材
２０２  第２の内表面
２１０  蓋板
２２０  第２の保持部
２３０  開口
２４０  収容空間
３００  支持部材
３１０  第１の折板
３１２  左側縁
３２０  第２の折板
３２２  右側縁
３３０  第３の保持部
３４０  位置規制部
４００  第３の保持部材
【図１】
0003182771.tif 000003
【図２】
0003182771.tif 000004
【図３】
0003182771.tif 000005
【図４】
0003182771.tif 000006
【図５】
0003182771.tif 000007